(57)【要約】【課題】  搭載する紫外線ランプを空冷を用いずに所定温度に制御することができ、空気の流動によって埃や細菌等を飛来させ試料を汚染する恐れがなく、高度な殺菌に適した紫外線殺菌装置を提供する。【解決手段】  紫外線照射ユニットは内部に、水平配置した直管形紫外線ランプに沿って伸在し紫外線を反射する反射面を有する一対の第一水冷ブロックを、該ランプに対して対称的に配置し、また前記一対の第一水冷ブロック及び前記ランプの上側で、前記ランプの上半部に近接した位置に、前記ランプに沿って隙間を有して伸在し前記ランプと所定間隔を保ち前記ランプの外周を所定角度範囲で包囲する一対の第二水冷ブロックを、前記ランプに対して対称的に配置して、前記ランプを冷却するように構成する。【選択図】  図２
2008110084.tif 000002
【特許請求の範囲】
【請求項１】
外郭を構成する外郭体の内部に、紫外線照射ユニットを収納して成る紫外線殺菌装置において、
前記紫外線照射ユニットは、その内部に、直管形紫外線ランプを水平に配置し、
また前記ランプに沿って隙間を有して伸在し前記ランプから放射される紫外線を反射する反射面を有する一対の第一水冷ブロックを、前記ランプの中心軸を含む垂直面に関して対称的に配置し、
さらに前記一対の第一水冷ブロック及び前記ランプの上側で、前記ランプの上半部に近接した位置に、前記ランプに沿って隙間を有して伸在し前記ランプと所定間隔を保ち前記ランプの外周を所定角度範囲で包囲する一対の第二水冷ブロックを、前記ランプの中心軸を含む垂直面に関して対称的に配置して、
空冷機構を用いることなく前記ランプを冷却するように構成したことを特徴とする紫外線殺菌装置。
【請求項２】
前記ランプは、負荷が４０〜１２０Ｗ／ｃｍである高圧水銀ランプであり、
前記一対の第一水冷ブロックの反射面は、該第一水冷ブロックに支持される反射板により構成され、
前記一対の第二水冷ブロックは、前記ランプとの隙間をランプの管径方向で１〜５ｍｍの間隔に保ち、且つ前記ランプの中心軸を含む垂直面を中心にして左右対称に９０〜１８０°の角度範囲で前記ランプの外周を囲繞する部位を有して配置される
ことを特徴とする請求項１記載の紫外線殺菌装置。
【請求項３】
前記外郭体は、内部の空気の膨張収縮による出入が可能な通気口を除いては密閉構造を成し、紫外線を装置外に出射する紫外線照射窓を下面に備え、
また前記通気口は、前記紫外線照射ユニット内で生成したオゾンが回収されるオゾン回収装置に連接して成る
ことを特徴とする請求項２記載の紫外線殺菌装置。
【請求項４】
前記紫外線照射ユニットは前記一対の第一及び第二水冷ブロックを支持するユニットケースを備えると共に、
該ユニットケースは、前記ランプを中心にして、前記１対の反射板水冷ブロックのそれぞれの外側に、前記ランプに沿って平行でありかつ前記開口部が成す面に垂直に配置されて成る１対の垂直部材を有し、
また該各垂直部材の、前記開口部が成す面を越えて下向きに延伸する先端部は、前記ランプからの光を遮断する遮光板を構成し、該遮光板と前記外郭体との間に空間部を形成する
ことを特徴とする請求項２または３記載の紫外線殺菌装置。
【発明の詳細な説明】
【技術分野】
【０００１】
本発明は、食品分野で使われるカップ等の容器やシート、あるいは医療器具や医薬品用容器等の紫外線による殺菌に用いられる紫外線殺菌装置に関する。
【背景技術】
【０００２】
紫外線による殺菌に用いられる紫外線照射装置は、筐体内に紫外線照射部を備えており、この紫外線照射部は主に、紫外線ランプとこのランプから放射される紫外線を所定方向に反射させる反射板とで構成されるのが一般的である。しかし、この種の装置では近年、高度な殺菌が要求されるため、紫外線ランプには負荷が８０〜１５０Ｗ／ｃｍ程度の高出力の高圧水銀ランプが用いられるようになっているが、このランプの管壁温度は１０００℃を超える程度の高温になる。その一方で装置の小型化も進んでいるため、紫外線ランプによる熱で装置内部がますます高温化しやすい傾向にあり、ランプとその近傍を冷却する様々な工夫が施されてきた。
【０００３】
冷却方式としてまず最初に登場したのが、冷却すべき対象物に空気を当てる空冷であり、紫外線照射部内に空気を導入し、ランプと反射板の間に空気を通過させることにより、ランプを空冷していた。空冷方式は冷却効率が高いため、従来から広く用いられている。しかし、空冷方式には、例えばランプ管壁温度を所定温度以下になるようにするには、空気の流入量や、通風孔の穴の開け方に注意するなど、ランプの出力や装置の寸法・構造に応じて細かな風量制御が必要になり、装置設計が複雑になるという欠点があった。また、排気ダクトや吸気ファンなど、排気のための付帯設備が必要となって、装置が大型化し、紫外線照射以外の目的での多大な電気エネルギーが絶えず費やされるという問題もあった。
【０００４】
そこで、装置の小型化の要求に対しては、空冷と水冷を併用し、例えば反射板に密着させた冷却ブロックの中に水を通して反射板の水冷を行い、ランプは空冷することにより、紫外線照射部内の通気量を少なくすることで装置の小型化を図るなどの工夫が行われている。そうした工夫に関しては、例えば特許文献１、２に開示されている。
【特許文献１】特開平１１−２４４７６３号公報
【特許文献２】特開２００６−９５４４８号公報
【０００５】
ところで、空冷方式には、上述の装置の大型化や多大な電力消費の他に、装置外から空気を取り込むため、埃等の微細な物体や細菌等の病原物質も一緒に装置内に取り込まれ、殺菌すべき試料を汚染する恐れがあり、高度な殺菌のための装置には不向きであるという問題もあった。
【０００６】
しかしながら、管壁温度が１０００℃ないしそれ以上の高温に達する紫外線ランプを、空冷を全く用いず水冷のみで冷却して適温に維持するのは難しく、従来は、例えばランプとその外周を包囲する水冷ジャケットとの間の空隙に通風するなど、何らかの形で空冷を併用して冷却していた（特許文献３参照）。
【特許文献３】特開２００４−３９５１１号公報
【０００７】
さらに、紫外線照射装置では紫外線ランプ近傍で空気中の酸素が波長１８５ｎｍの紫外線を吸収することにより数ｐｐｍ程度の濃度の有害なオゾンが生成するが、空冷方式を採用している場合、このオゾンが排気中に含まれて装置外に流出するという問題もあった。
【０００８】
さらにまた、高圧水銀ランプを搭載した紫外線照射装置では、外郭を構成する部材が高温となるが、操作者の安全等を考慮して、その部材は触れても火傷の恐れのない温度に保持されていることが要求されている。
【発明の開示】
【発明が解決しようとする課題】
【０００９】
本発明は上記の問題に鑑みてなされたものであって、装置の小型化や省エネルギーを妨げる送風または排風のための付帯設備を必要とする空冷を用いることなしに搭載する紫外線ランプを所定温度に制御することができ、また、送排風に伴なう試料近傍の空気の流動によって埃や細菌等を飛来させ試料を汚染する恐れがなく、高度な殺菌に適した紫外線殺菌装置を提供することを目的とする。
【００１０】
また本発明は、装置内部で生成したオゾンが装置外に流出する恐れがない紫外線殺菌装置を提供することを目的とする。
【００１１】
さらに本発明は、外郭を構成する部材が触れても火傷の恐れのない温度に保持されている紫外線殺菌装置を提供することを目的とする。
【課題を解決するための手段】
【００１２】
上記目的を達成するために、本発明の紫外線殺菌装置は、熱源である、水平配置した１灯の直管形紫外線ランプの外周に、熱吸収の役割を果たす２種類の水冷ブロックを、紫外線の出射を妨げない位置に配置する基本構成としてある。すなわち、紫外線ランプの側面方向に放射される熱線は、該ランプの下側に開口部を形成して配置した１対の第一水冷ブロックにより吸収され、紫外線ランプの上面方向に放射される熱線は、前記ランプの上方で近接させて配置した第二水冷ブロックにより吸収されるように構成する。
【００１３】
ここで、発明者は、前記ランプの負荷に応じて、前記ランプと前記第二水冷ブロックとの距離と、前記第二水冷ブロックが前記ランプの外周を囲繞する角度範囲を適切に選定すると、空冷方式を用いなくとも、水冷のみでランプ管壁を所定温度に制御することができることを見出し、本発明を完成させたものである。空冷と水冷を併用している従来の紫外線殺菌装置において、紫外線ランプは、その外周に強制的に空気を流通させることによって冷却されていたが、ランプ外周を流通するこの空気は流通時に接触する近隣の水冷ブロックによっても冷却されていた（特許文献２参照）。そこで、ランプ外周に強制的な空気の流れを作らなくとも、ランプ管壁近傍で熱せられた空気が、ランプ外周を上昇して上方の水冷ブロック（第二水冷ブロック）にぶつかり、そこで冷却されて下降するという自然対流によって絶えず移動している。このため、水冷のみでも十分にランプ管壁を所定温度に制御することができる。なお、ランプの上方に配置される第二水冷ブロックは、ランプ点灯時にランプ近傍で発生した有害ガスを逃がすために、前記ランプの真上に前記ランプに沿って伸在する一定間隔の隙間を有して対称的に配置した１対の分離体から構成する。
【００１４】
そこで、本発明の紫外線殺菌装置は、
外郭を構成する外郭体の内部に、紫外線照射ユニットを収納して成る紫外線殺菌装置において、
前記紫外線照射ユニットは、その内部に、直管形紫外線ランプを水平に配置し、
また前記ランプに沿って隙間を有して伸在し前記ランプから放射される紫外線を反射する反射面を有する一対の第一水冷ブロックを、前記ランプの中心軸を含む垂直面に関して対称的に配置し、
さらに前記一対の第一水冷ブロック及び前記ランプの上側で、前記ランプの上半部に近接した位置に、前記ランプに沿って隙間を有して伸在し前記ランプと所定間隔を保ち前記ランプの外周を所定角度範囲で包囲する一対の第二水冷ブロックを、前記ランプの中心軸を含む垂直面に関して対称的に配置して、
送風または排風による空冷機構を用いることなく水冷機構だけで前記ランプを冷却するように構成する。
【００１５】
また本発明の紫外線殺菌装置は、上記紫外線殺菌装置において、
前記ランプが、負荷が４０〜１２０Ｗ／ｃｍである高圧水銀ランプであり、
前記一対の第一水冷ブロックの反射面が、該第一水冷ブロックに支持される反射板により構成され、
前記一対の第二水冷ブロックが、前記ランプとの隙間をランプの管径方向で１〜５ｍｍの間隔に保ち、且つ前記ランプの中心軸を含む垂直面を中心にして左右対称に９０〜１８０°の角度範囲で前記ランプの外周を囲繞する部位を有して配置される。
【００１６】
さらに本発明の紫外線殺菌装置は、上記紫外線殺菌装置において、
前記外郭体は、内部の空気の膨張収縮による出入が可能な通気口を除いては密閉構造を成し、紫外線を装置外に出射する紫外線照射窓を下面に備え、
また前記通気口は、前記紫外線照射ユニット内で生成したオゾンが回収されるオゾン回収装置に連接して成るように構成する。
【００１７】
さらにまた本発明の紫外線殺菌装置は、上記紫外線殺菌装置において、
前記紫外線照射ユニットは前記一対の第一及び第二水冷ブロックを支持するユニットケースを備えると共に、
該ユニットケースは、前記ランプを中心にして、前記１対の反射板水冷ブロックのそれぞれの外側に、前記ランプに沿って平行でありかつ前記開口部が成す面に垂直に配置されて成る１対の垂直部材を有し、
また該各垂直部材の、前記開口部が成す面を越えて下向きに延伸する先端部は、前記ランプからの光を遮断する遮光板を構成し、該遮光板と前記外郭体との間に空間部を形成するように構成する。
【発明の効果】
【００１８】
本発明の紫外線殺菌装置は、内部に搭載する紫外線照射ユニットの紫外線ランプを専ら、上記構成の２種類の水冷ブロックを具備する水冷機構によって水冷する構成とし、空冷は行なわないので、装置の小型化や省エネルギーを妨げる排気のための付帯設備を必要とせず、また、試料近傍に空気の流動がなく埃や細菌等が試料表面に飛来してこれを汚染する恐れがないので、高度な殺菌に用いることができる。
【００１９】
また本発明の紫外線殺菌装置は、内部に搭載する紫外線照射ユニットの紫外線ランプの上半部に近接して配置する第二水冷ブロックは、上記条件で該紫外線ランプを囲繞するように配置したので、高負荷の該紫外線ランプの点灯時の発光管管壁温度を８００〜１０００℃の適度な温度に維持することができる。
【００２０】
さらに本発明の紫外線殺菌装置は、外郭体に設けられた通気口にオゾン回収装置を連接して構成してあるので、装置内部で生成したオゾンが装置外に流出する恐れがない。
【００２１】
さらにまた本発明の紫外線殺菌装置は、紫外線照射ユニットが遮光板を有し、該遮光板と外郭体との間に空間部を形成しているので、紫外線ランプからの熱による外郭体の温度上昇が小さく、外郭を構成する部材に手で触れても火傷の恐れがない。
【発明を実施するための最良の形態】
【００２２】
本発明の実施形態と作用効果を図面に基づいて説明する。図１は本発明の実施例の紫外線殺菌装置の主要部を一部切り欠いて示した概略斜視図である。図２は同装置中央部の、ランプ発光管の中心軸に直交する面における同装置主要部の概略断面図である。図１、図２とも、発明の本質に関係ない部分は省略してある。
【００２３】
本発明の紫外線殺菌装置は１灯式であって、次のように構成される。直管形紫外線ランプ１は、これを中心にして対称的に該ランプに沿って配置される１対の反射板２、２に囲繞され、紫外線照射方向が規定されている。反射板２，２はそれぞれ、内部に冷却水配管１３を有する反射板水冷ブロック３、３によってその背後が支持されている。紫外線ランプ１の上部には、該ランプと一定の隙間を保ち該ランプに沿って伸在させて配置され内部に冷却水配管１４を有するランプ水冷ブロック４が配置される。ランプ水冷ブロック４は、ランプ中心軸２０を含む垂直面２１を中心にして対称的に配置される１対の分離体５、５に等分され、この両者が１対の反射板水冷ブロック３、３が紫外線出射側に形成する開口部１５（図２で破線により仮想的に示す）に対向する位置にスリット状の空孔１６を形成する。冷却水配管１３及び１４には、これらに冷却水を流通させるためのポンプ等の設備を適宜接続させる。
【００２４】
紫外線ランプ１、反射板水冷ブロック３及びランプ水冷ブロック４を支持するユニットケース６は、いくつかの部材から構成されるが、そのうち、紫外線ランプ１を中心にして、１対の反射板水冷ブロック３、３の外側に、該ランプに沿って平行でありかつ開口部１５が成す面に垂直に配置されて成る１対の垂直部材７、７は、それぞれの先端部が遮光板８、８を形成して成る。遮光板８、８は、前記開口部が成す面を越えて下向きに延伸し、また紫外線殺菌装置５０を構成する外郭体１１との間に空間部９を形成し、紫外線ランプ１からの熱線が外郭体１１に到達するのを妨げている。
【００２５】
開口部１５に対向する装置５０の下面には紫外線照射窓１０を設けてあり、その直下には殺菌すべき試料３０を配置する。紫外線照射窓１０は、石英ガラス等の紫外線透過性のガラス製板材から構成し、その周縁部が、ゴム製Ｏリングやゴアテックス製部材等（いずれも図示せず）を介して、外郭体１１の一部を構成する窓枠部材１９Ａと１９Ｂにより密着固定され、密閉構造を成している。試料３０の近傍にオゾンを生成させないため、照射窓１０の表面に、２２０ｎｍ以下の紫外線をカットする特性の被膜を既存の方法により形成しておくのが好ましい。遮光板８、８の下端が紫外線照射窓１０の板面に接触するのを避けるため、この両者の間には２〜３ｍｍ程度の隙間を設けてある。外郭体１１は、通気口１２以外は密閉構造としてある。通気口１２は、装置内部（外郭体内部）の気体の熱膨張によりその内部の圧力が高まった場合はその気体が自然に流出し、逆にその内部の圧力が下がった場合は装置外の気体が流入するための通路であって、強制的に装置内外の気体を流出入させるための通路ではない。ランプ水冷ブロック４の上面と外郭体１１とで挟まれ、ランプの長手方向に沿って延在する空間は、装置内の気体が流通するダクト１７を構成している。ユニットケース６を支持する支持部材１８の水平部分には、図２の断面図には表わされない空孔を設けてあり、装置内の空気が流通できるよう構成してある。
【００２６】
本発明の紫外線殺菌装置では紫外線ランプ１として、高い殺菌効果を得るために、例えば４０〜１２０Ｗ／ｃｍの高負荷の高圧水銀ランプを使用する。このランプの場合は、何も冷却を行なわなければ点灯時に発光管管壁温度が１０００℃を超える高温になる。そこで、ランプ水冷ブロック４は、分離体５及び５を一体的に見た時、ランプ中心軸２０を含む垂直面２１を中心にして左右対称な角度Ｒを９０〜１８０°の範囲に、また、ランプ１との隙間をランプの管径方向で１〜５ｍｍに保って、ランプ１の外周を囲繞するように配置するのが好ましい。上記説明の紫外線殺菌装置では紫外線ランプは１灯装着されていたが、本発明ではこれに限定されることなく、例えば、広い紫外線照射幅を確保するために、直管形紫外線ランプを長手方向に複数灯直列に並べて配置してもよい。
【００２７】
なお、高圧水銀ランプの場合、ランプの負荷に関しては、４０Ｗ／ｃｍ未満の場合は殺菌効果が低く、１２０Ｗ／ｃｍを超える場合は、後述するように、水冷だけで発光管管壁温度を１０００℃以下にするのが難しいので、４０〜１２０Ｗ／ｃｍであるのが好ましい。ランプ水冷ブロック４がランプ１の外周を囲繞する角度範囲については、９０°未満の場合はランプ水冷ブロックが熱交換のために必要な面積が十分に確保されないため発光管管壁温度を１０００℃以下にするのが難しく、１８０°を超える場合は反射板による紫外線の出射を妨げるので、９０〜１８０°とするのが好ましい。ランプ水冷ブロック４とランプ１との隙間の大きさに関しては、ランプの管径方向で１ｍｍ未満の場合は発光管管壁が冷え過ぎてランプ１が所定特性を示さず、５ｍｍを超える場合はランプ水冷ブロック４への熱伝導が十分でなく発光管管壁温度を１０００℃以下にするのが難しいので、１〜５ｍｍとするのが好ましい。
【００２８】
反射板水冷ブロック３、３が形成する開口部１５の寸法は、目的とする紫外線照射範囲や照度分布に適した反射板設計に応じて適宜選定すればよいが、ランプ発光管の管径が２２〜２８ｍｍである場合、幅８０〜９０ｍｍ程度、長さ２２０〜２５０ｍｍ程度とする。また、反射板２の表面とランプ１の表面との距離は、上記反射板の光学設計により決定されるが、ランプ発光管の管径が上記の場合、ランプから最も遠い反射板下縁部との距離で４０ｍｍ程度、最も近い上縁部との距離で１０ｍｍ程度とする。
【００２９】
ランプ水冷ブロック４の１対の分離体５、５が成すスリット状の空孔１６の隙間は、幅２〜４ｍｍ程度とする。ランプ水冷効果の点だけを見ると、ランプ水冷ブロック４は空孔１６を有さず、隙間が塞がれている方が効果が高い。例えば、上記の高負荷の高圧水銀ランプを使用する場合、発光管管壁温度は、隙間を有しない方が、発光管中央で５〜８℃、端部で３５〜４０℃低かった。しかし、ランプ近傍で発生する有害ガスを外に逃がす必要があり、そのための通路を確保するために、熱せられた上昇気流が通過しやすいランプ水冷ブロック４の中心部に上記の大きさの隙間を設けている。
【００３０】
反射板水冷ブロック３及びランプ水冷ブロック４の内部の冷却水配管には、水温１０〜３０℃の水道水を流量１〜５Ｌ／ｍｉｎで流通させるのが好ましい。この条件下で上記構成の水冷機構を作動させると、空冷は全く併用していなくとも、ランプ点灯時に発光管管壁温度を８００〜１０００℃に保つことができる。ランプ発光管の変形や破損、反射板の破損等の不具合は発生しない。逆に、冷却水の水温、流量が上記範囲外の場合は、発光管管壁温度が８００℃を下回るかまたは１０００℃を上回り、いずれも適当でない。
【００３１】
上記ランプを使用すると、点灯時にランプ近傍で高濃度のオゾンが発生し、熱膨張によって拡散し、空孔１６を通過するなどして装置内に充満する。装置内に充満した時の濃度は３〜１０ｐｐｍに達する。このオゾンは、やがて自然に通気口１２から流出するが、本発明の好ましい実施形態では通気口１２は先端が開放されておらず、通気口１２が図示しないオゾン回収装置に連接しており、高濃度のオゾンを装置外に流出させることなく回収・分解することができる。
【実施例１】
【００３２】
紫外線ランプは、ランプ電力１．６ｋＷの岩崎電気製高圧水銀ランプＨ０１６−Ｌ２１Ｇを１灯使用した。発光管は全長３００ｍｍ、発光長２００ｍｍ、外径２５．８ｍｍで、負荷８０Ｗ／ｃｍであった。紫外線殺菌装置の外郭寸法は、ランプ中心軸に垂直な面を基準にして、幅２１０ｍｍ、奥行３７５ｍｍで、突出部を含む高さは３３０ｍｍ、紫外線照射ユニットを含む主要部の高さは１８０ｍｍとした。反射板水冷ブロックが形成する開口部の寸法は幅８７ｍｍ、奥行２３５ｍｍとした。ランプ水冷ブロックがランプ外周を囲繞する角度範囲は１３０°、ランプ水冷ブロックとランプ管壁との距離は２ｍｍ、ランプ水冷ブロックの１対の分離体が成すスリット状の空孔の隙間は幅３ｍｍとした。反射板とランプとの距離は最大で４０ｍｍ、最小で１０ｍｍとした。
【００３３】
表１は、上記の寸法・構造を有する紫外線殺菌装置において、水温２０℃の水道水を流量３．０Ｌ／ｍｉｎで流通させて水冷しながらランプを点灯させた場合、同一ランプでランプ電力を１．６〜３．０ｋＷの範囲で変化させた時のランプ管壁温度を示したものである。温度は熱電対を用いて測定した。測定箇所は、ランプ管壁の中央の周方向の３箇所（Ａ：管壁上部で空孔１６の直下、Ｂ：管壁側面中央、Ｃ：管壁下部でＡの対向位置）（図３参照）と、両端部上面の計５箇所である。表１には、Ａ、Ｂ、Ｃの３箇所での測定結果を示してある。両端部上面での温度は、どのランプ電力のランプについても、測定箇所Ａにおける温度より１１〜１２％程度高かった。
【００３４】
【表１】
2008110084.tif 000003
【００３５】
どのランプ電力のランプについても、表１に示されているように、ランプ管壁の周方向で見ると、ランプ水冷ブロックに近いＡにおける温度が最も低く、Ｃにおける温度はＢにおける温度と同等かまたはそれより若干低くなっており、水平姿勢で点灯させた場合最も高い温度となるはずのＡの位置が最も低い温度となった。このことから、吸熱体であるランプ水冷ブロックの存在がランプ管壁の冷却に効果的に寄与していることが分かる。そして、ランプ電力が２．４ｋＷ（負荷が１２０Ｗ／ｃｍ）までならば、ランプ管壁のどの部位においても、水冷だけでランプ管壁温度が１０００℃を超えない状態とすることができ、安定した点灯が可能であった。ランプ管壁温度は１０００℃を超えるとランプ寿命が短くなるなどの悪影響があり、好ましくない。
【００３６】
表１の結果に限らず、水温が１０〜３０℃の冷却水を流量１〜５Ｌ／ｍｉｎの範囲で流通させて水冷を行なう場合は、ランプ電力が２．４ｋＷ（負荷が１２０Ｗ／ｃｍ）以下ならば、ランプ管壁温度が１０００℃を超えない状態とすることができた。なお、高い殺菌効果を得るためには、ランプの負荷は４０Ｗ／ｃｍ以上であることが望ましい。
【００３７】
外郭体の表面温度に関しては、上記条件で水冷を行なう場合、ランプに最も近い、外郭体１１の下側の外側面においても常に６０℃以下であった。
【００３８】
以上説明したように、本発明の紫外線殺菌装置においては、内部に搭載する紫外線照射ユニットの紫外線ランプは、４０〜１２０Ｗ／ｃｍの高負荷であるが、所定の位置に配置した反射板水冷ブロックとランプ水冷ブロックとを備える水冷機構で水冷を行なうので、空冷を用いなくとも、ランプ点灯時にも１０００℃以下の温度の保持することができる。
【産業上の利用可能性】
【００３９】
本発明は、食品分野で使われるカップ等の容器やシート、あるいは医療器具や医薬品用容器等の紫外線による殺菌に用いることができる。
【図面の簡単な説明】
【００４０】
【図１】本発明の実施例の紫外線殺菌装置の概略斜視図である。
【図２】本発明の実施例の紫外線殺菌装置の主要部の、ランプ中心軸に直交する面の概略断面図である。
【図３】本発明の実施例の紫外線殺菌装置において、ランプ管壁温度の測定箇所を説明するための概略断面図である。
【符号の説明】
【００４１】
１…紫外線ランプ
２…反射板
３…反射板水冷ブロック
４…ランプ水冷ブロック
５…分離体
６…ユニットケース
７…垂直部材
８…遮光板
９…空間部
１０…紫外線照射窓
１１…外郭体
１２…通気口
１３…冷却水配管
１４…冷却水配管
１５…開口部
１６…スリット状空孔
１７…ダクト
１８…支持部材
１９Ａ…窓枠部材
１９Ｂ…窓枠部材
２０…ランプ中心軸
２１…垂直面
３０…試料
５０…紫外線殺菌装置
【図１】
2008110084.tif 000004
【図２】
2008110084.tif 000005
【図３】
2008110084.tif 000006